【手続補正書】
【提出日】令和2年6月12日(2020.6.12)
【手続補正１】
【補正対象書類名】特許請求の範囲
【補正対象項目名】全文
【補正方法】変更
【補正の内容】
【特許請求の範囲】
【請求項１】
入力パケット又は入力ストリームに基づいて、FEC(Forward Error Correction)ブロックを生成する第１の生成部と、
前記FECブロックに基づいて、FECフレームを生成する第２の生成部と、
前記FECフレームを送信する送信部と
を含み、
前記FECブロックのヘッダは、前記入力パケット又は前記入力ストリームの種別を識別する種別識別情報と、ヘッダのエラーを検出する情報と、前記FECフレームのペイロードに格納される前記入力パケット又は前記入力ストリームの先頭の位置情報を有する最小固定長ヘッダを含み、
前記種別識別情報がTLV(Type Length Value)パケットである場合、前記最小固定長ヘッダは、前記種別識別情報に加えて、前記入力パケットの入力パケット長が最小固定長であるか否かを識別する最小固定長識別情報、及び前記入力パケット長の情報としての最小入力パケット長を含む
送信装置。
【請求項２】
前記最小固定長識別情報が、前記入力パケット長が前記最小固定長ではないことを示す場合、前記ヘッダは、前記最小固定長ヘッダに加えて、さらに、可変長ヘッダを含み、
前記可変長ヘッダは、前記入力パケット長の下位ビットを、前記最小入力パケット長を表す最小入力パケット長情報とするとき、前記入力パケット長の上位ビットからなる可変長パケット長情報を含む
請求項１に記載の送信装置。
【請求項３】
前記FECフレームが配置されるOFDM(Orthogonal Frequency Division Multiplexing)フレームの先頭に時刻情報を配置するためのダミーセルを生成する第３の生成部をさらに含む
請求項１に記載の送信装置。
【請求項４】
入力パケット又は入力ストリームに基づいて、FECブロックを生成することと、
前記FECブロックに基づいて、FECフレームを生成することと、
前記FECフレームを送信することと
を含み、
前記FECブロックのヘッダは、前記入力パケット又は前記入力ストリームの種別を識別する種別識別情報と、ヘッダのエラーを検出する情報と、前記FECフレームのペイロードに格納される前記入力パケット又は前記入力ストリームのパケット先頭の位置情報を有する最小固定長ヘッダを含み、
前記種別識別情報がTLVパケットである場合、前記最小固定長ヘッダは、前記種別識別情報に加えて、前記入力パケットの入力パケット長が最小固定長であるか否かを識別する最小固定長識別情報、及び前記入力パケット長の情報としての最小入力パケット長を含む
送信方法。
【手続補正２】
【補正対象書類名】明細書
【補正対象項目名】発明の名称
【補正方法】変更
【補正の内容】
【発明の名称】送信装置、及び、送信方法
【手続補正３】
【補正対象書類名】明細書
【補正対象項目名】０００１
【補正方法】変更
【補正の内容】
【０００１】
本技術は、送信装置、及び、送信方法に関し、特に、伝送パケット又は伝送ストリームを、誤り訂正ブロックにカプセル化する際に、当該伝送パケット又は伝送ストリームの先頭位置を確実に通知することができるようにした送信装置、及び、送信方法に関する。
【手続補正４】
【補正対象書類名】明細書
【補正対象項目名】０００８
【補正方法】変更
【補正の内容】
【０００８】
本技術の送信装置は、入力パケット又は入力ストリームに基づいて、FEC(Forward Error Correction)ブロックを生成する第１の生成部と、前記FECブロックに基づいて、FECフレームを生成する第２の生成部と、前記FECフレームを送信する送信部とを含み、前記FECブロックのヘッダは、前記入力パケット又は前記入力ストリームの種別を識別する種別識別情報と、ヘッダのエラーを検出する情報と、前記FECフレームのペイロードに格納される前記入力パケット又は前記入力ストリームの先頭の位置情報を有する最小固定長ヘッダを含み、前記種別識別情報がTLV(Type Length Value)パケットである場合、前記最小固定長ヘッダは、前記種別識別情報に加えて、前記入力パケットの入力パケット長が最小固定長であるか否かを識別する最小固定長識別情報、及び前記入力パケット長の情報としての最小入力パケット長を含む送信装置である。
【手続補正５】
【補正対象書類名】明細書
【補正対象項目名】０００９
【補正方法】変更
【補正の内容】
【０００９】
本技術の送信方法は、入力パケット又は入力ストリームに基づいて、FECブロックを生成することと、前記FECブロックに基づいて、FECフレームを生成することと、前記FECフレームを送信することとを含み、前記FECブロックのヘッダは、前記入力パケット又は前記入力ストリームの種別を識別する種別識別情報と、ヘッダのエラーを検出する情報と、前記FECフレームのペイロードに格納される前記入力パケット又は前記入力ストリームのパケット先頭の位置情報を有する最小固定長ヘッダを含み、前記種別識別情報がTLVパケットである場合、前記最小固定長ヘッダは、前記種別識別情報に加えて、前記入力パケットの入力パケット長が最小固定長であるか否かを識別する最小固定長識別情報、及び前記入力パケット長の情報としての最小入力パケット長を含む送信方法である。
【手続補正６】
【補正対象書類名】明細書
【補正対象項目名】００１０
【補正方法】変更
【補正の内容】
【００１０】
本技術の送信装置及び送信方法においては、入力パケット又は入力ストリームに基づいて、FECブロックが生成され、前記FECブロックに基づいて、FECフレームが生成されて送信される。前記FECブロックのヘッダには、前記入力パケット又は前記入力ストリームの種別を識別する種別識別情報と、ヘッダのエラーを検出する情報と、前記FECフレームのペイロードに格納される前記入力パケット又は前記入力ストリームのパケット先頭の位置情報を有する最小固定長ヘッダが含まれる。また、前記種別識別情報がTLVパケットである場合、前記最小固定長ヘッダには、前記種別識別情報に加えて、前記入力パケットの入力パケット長が最小固定長であるか否かを識別する最小固定長識別情報、及び前記入力パケット長の情報としての最小入力パケット長が含まれる。
【手続補正７】
【補正対象書類名】明細書
【補正対象項目名】００１１
【補正方法】変更
【補正の内容】
【００１１】
本技術の受信装置は、送信されてくるFECフレームからなる信号を受信する受信部と、受信された前記FECフレームに基づいて、FECブロックを生成する第１の生成部と、前記FECブロックに基づいて、入力パケット又は入力ストリームを生成する第２の生成部とを含み、前記FECブロックのヘッダは、前記入力パケット又は前記入力ストリームの種別を識別する種別識別情報と、前記FECフレームのペイロードに格納される前記入力パケット又は前記入力ストリームの先頭の位置情報を有する最小固定長ヘッダを含み、前記種別識別情報がTLVパケットである場合、前記最小固定長ヘッダは、前記種別識別情報に加えて、前記入力パケットの入力パケット長が最小固定長であるか否かを識別する最小固定長識別情報、及び前記入力パケット長の情報としての最小入力パケット長を含む受信装置である。
【手続補正８】
【補正対象書類名】明細書
【補正対象項目名】００１２
【補正方法】変更
【補正の内容】
【００１２】
本技術の受信方法は、送信されてくるFECフレームからなる信号を受信することと、受信された前記FECフレームに基づいて、FECブロックを生成することと、前記FECブロックに基づいて、入力パケット又は入力ストリームを生成することとを含み、前記FECブロックのヘッダは、前記入力パケット又は前記入力ストリームの種別を識別する種別識別情報と、前記FECフレームのペイロードに格納される前記入力パケット又は前記入力ストリームの先頭の位置情報を有する最小固定長ヘッダを含み、前記種別識別情報がTLVパケットである場合、前記最小固定長ヘッダは、前記種別識別情報に加えて、前記入力パケットの入力パケット長が最小固定長であるか否かを識別する最小固定長識別情報、及び前記入力パケット長の情報としての最小入力パケット長を含む受信方法である。
【手続補正９】
【補正対象書類名】明細書
【補正対象項目名】００１３
【補正方法】変更
【補正の内容】
【００１３】
本技術の受信装置及び受信方法においては、送信されてくるFECフレームからなる信号が受信され、受信された前記FECフレームに基づいて、FECブロックが生成される。そして、前記FECブロックに基づいて、入力パケット又は入力ストリームが生成される。前記FECブロックのヘッダには、前記入力パケット又は前記入力ストリームの種別を識別する種別識別情報と、前記FECフレームのペイロードに格納される前記入力パケット又は前記入力ストリームの先頭の位置情報を有する最小固定長ヘッダが含まれる。また、前記種別識別情報がTLVパケットである場合、前記最小固定長ヘッダには、前記種別識別情報に加えて、前記入力パケットの入力パケット長が最小固定長であるか否かを識別する最小固定長識別情報、及び前記入力パケット長の情報としての最小入力パケット長が含まれる。